(57)【特許請求の範囲】
【請求項１】
主竿と，１または複数の中間竿と，先端竿と，前記主竿，前記中間竿，及び／または，前記先端竿に備えられる複数の固定ガイド及び複数の移動ガイドとを含んで構成され，前記主竿と前記中間竿と前記先端竿とは，順次入れ子に接続されて釣竿の伸長，短縮が可能であるリール釣竿であって，
前記主竿，前記中間竿，及び，前記先端竿の各断面は，上部の略半楕円形と下部の略半円形とが組み合わされた形状をなし，前記上部の略半楕円形と，前記下部の略半円形とは，略楕円形の長径と，略円形の直径とが一致し，
前記固定ガイド及び前記移動ガイドは，各々竿を通す輪と釣り糸を通す輪とを有し，かつ，前記竿を通す輪は，前記主竿，前記中間竿，または，前記先端竿の各断面形状に対応して，上部の略半楕円形と下部の略半円形とが組み合わされた形状をなすことを特徴とするリール釣竿。
【請求項２】
主竿と，１または複数の中間竿と，先端竿と，前記主竿，前記中間竿，及び／または，前記先端竿に備えられる複数の固定ガイド及び複数の移動ガイドとを含んで構成され，前記主竿と前記中間竿と前記先端竿とは，順次入れ子に接続されて釣竿の伸長，短縮が可能であるリール釣竿の製造方法であって，
前記主竿，前記中間竿，及び，前記先端竿の各断面は，上部の略半楕円形と下部の略半円形とが組み合わされた形状に形成し，前記上部の略半楕円形と，前記下部の略半円形とは，略楕円形の長径と，略円形の直径とが一致し，
前記固定ガイド及び前記移動ガイドは，各々竿を通す輪と釣り糸を通す輪とを有し，かつ，前記竿を通す輪は，前記主竿，前記中間竿，または，前記先端竿の各断面形状に対応して，上部の略半楕円形と下部の略半円形とが組み合わされた形状に形成することを特徴とするリール釣竿の製造方法。
【発明の詳細な説明】
【０００１】
【発明の属する技術分野】
本発明は，リール釣竿及びリール釣竿の製造方法に関する。さらに詳しくは，竿の断面形状を改良して，釣竿の上端部に過度な重量が加わっても壊れることなく，しかも，小型の移動ガイドを容易にガイド線に整列させることができるリール釣竿及びリール釣竿の製造方法に関する。
【０００２】
【従来の技術】
リール釣竿は，主竿と，１または複数の中間竿と，先端竿と，主竿，中間竿，及び／又は，先端竿に備えられる複数の固定ガイド及び複数の移動ガイドとを含んで構成される。そして，主竿と中間竿と先端竿とは，順次入れ子に接続されて釣竿の伸長，短縮が可能になっている。従来のリール釣竿では，主竿，中間竿，及び，先端竿の各断面が，図５に示すような略円形になっている。
【０００３】
【発明が解決しようとする課題】
しかし，従来のリール釣竿で魚を釣り上げる時，リール釣竿がしなって応力が各竿の断面上部の一点に集中する。そして，強い力で魚を釣り上げると，応力の集中も増して，終いには竿が破壊してしまう。
【０００４】
図５に示すように，従来のリール釣竿は，主竿２'，１つまたは複数の中間竿３ａ'，３ｂ'，３ｃ'，及び，先端竿４'の断面が略円形に構成されている。このため，リール釣竿が弓のようにしなる程大きい外力が加わり，各竿の断面上部には応力が集中する応力点１０が形成される。この応力点１０は，各竿の断面上部に疲労強度（fatigue strength）を形成する。この疲労強度が持続的に加わる場合，従来のリール釣竿は応力点１０で折れてしまう。
【０００５】
また，リール釣竿で魚を釣り上げる時，竿上に小型の移動ガイドを固定ガイドと一直線上に並ぶように整列させなければならないが，暗い環境では，移動ガイドの整列の手助けをするために竿に記したガイド線がよく見えない。従って，従来のリール釣竿では，移動ガイドの整列が困難である。リール釣竿の断面が円形であると，移動ガイドを一直線上に整列させることが一層難しくなる。
【０００６】
本発明は，このような従来のリール釣竿の問題点を解決するためのものである。そして，リール釣竿が過度にしなっても，各竿の断面上部の一点に過負荷が集中しないようにして，釣竿の破壊を防止することができるリール釣竿を提供することを目的にする。また，小型の移動ガイドを，固定ガイドと一直線上に容易に整列させることができるリール釣竿を提供することを目的とする。
【０００７】
【課題を解決するための手段】
上記目的を達成するための本発明のリール釣竿は，主竿と，１または複数の中間竿と，先端竿と，主竿，中間竿，及び／又は，先端竿に備えられる複数の固定ガイド及び複数の移動ガイドとを含んで構成される。主竿と中間竿と先端竿とは，順次入れ子に接続されて釣竿の伸長，短縮が可能である。そして，主竿，中間竿，及び，先端竿の各断面は，上部の略半楕円形と下部の略半円形とが組み合わされた形状をなす。また，固定ガイド及び移動ガイドは，各々竿を通す輪と釣り糸を通す輪とを有し，かつ，竿を通す輪は，主竿，中間竿，または，先端竿の各断面形状に対応して，上部の略半楕円形と下部の略半円形とが組み合わされた形状をなす。
【０００８】
なお，竿の各断面とガイドの竿を通す輪における形状にあっては，上部の略半楕円形と，下部の略半円形とは，略楕円形の長径と，略円形の直径とが概ね一致するように組み合わされる。
【０００９】
このような構成により，リール釣竿が過度にしなっても，各竿の断面上部の一点に過負荷が集中せず，釣竿の破壊が防止できる。また，小型の移動ガイドを，容易に固定ガイドと一直線上に整列させることができる。
【００１０】
また，上記目的を達成するための本発明のリール釣竿の製造方法は，主竿と，１または複数の中間竿と，先端竿と，主竿，中間竿，及び／又は，先端竿に備えられる複数の固定ガイド及び複数の移動ガイドとを含んで構成され，主竿と中間竿と先端竿とは，順次入れ子に接続されて釣竿の伸長，短縮が可能であるリール釣竿の製造方法である。そして，主竿，中間竿，及び，先端竿の各断面は，上部の略半楕円形と下部の略半円形とが組み合わされた形状に形成し，固定ガイド及び移動ガイドは，各々竿を通す輪と釣り糸を通す輪とを有し，かつ，竿を通す輪は，主竿，中間竿，または，先端竿の各断面形状に対応して，上部の略半楕円形と下部の略半円形とが組み合わされた形状に形成することを特徴とする。
【００１１】
このような方法により，リール釣竿が過度にしなっても，各竿の断面上部の一点に過負荷が集中せず，釣竿の破壊が防止でき，また，小型の移動ガイドを，固定ガイドと一直線上に容易に整列させることができるリール釣竿が得られる。
【００１２】
【発明の実施の形態】
以下に，本発明の一実施形態を，図面によって詳述する。図１は，本実施形態のリール釣竿の，短縮時の斜視図である。
【００１３】
図１に示すように，本実施形態のリール釣竿は，グリップ５と，グリップ５に連続する主竿２と，主竿２の外周に固定されてリール（図示せず）を脱着することができるリールシート１と，主竿２に多段式に入れ子状態で出入可能で，竿の長さを伸縮することができるように連設された１つまたは複数（本実施形態では３つ）の中間竿３ａ，３ｂ，３ｃと，複数の中間竿３ａ，３ｂ，３ｃの中の最外郭に設置される中間竿３ｃに，出入可能に設置された先端竿４とを含んで構成される。また，複数（本実施形態では６つ）の固定ガイド６ａ，６ｂ，６ｃ，６ｄ，６ｅ，６ｆは，中間竿３ａ，３ｂ，３ｃと，先端竿４の端部に各々固定される。また，複数（本実施形態では７つ）の移動ガイド７ａ，７ｂ，７ｃ，７ｄ，７ｅ，７ｆ，７ｇは，中間竿３ａ，３ｂ，３ｃ，及び，先端竿４の外周に沿って，各々前後に移動可能に装着される。
【００１４】
図２は，本実施形態のリール釣竿の短縮時の，図１のＡ−Ａ'線の断面図である。また，図３は，本実施形態のリール釣竿の，中間竿の拡大断面図である。本実施形態のリール釣竿は，図２と図３に示すように，主竿２，各中間竿３ａ，３ｂ，３ｃ，及び，先端竿４の断面下部が略半円形に形成されており，断面上部１１は略半楕円形に形成されている。このため，強い力でリール釣竿がしなる場合にも，このような形状構造によって，各竿の断面上部への応力が分散されて応力点９を形成する。そして，応力に対抗する抵抗力が増加して，リール釣竿が従来のように応力点９で折れる現象が防止される。
【００１５】
図４は，本実施形態のリール釣竿の，固定ガイドまたは移動ガイドの平面図である。本実施形態のリール釣竿の移動ガイド７（ａ〜ｇ）は，各中間竿３ａ，３ｂ，３ｃ，及び，先端竿４の外周を前後に移動できるように装着される。図４に示すように，中間竿３（ａ〜ｃ），または，先端竿４の断面上部１１の形状に対応して，各ガイドの竿を通す輪の上部１１'も略半楕円形状に形成されている。従って，移動ガイド７（ａ〜ｇ）は竿の外周を回らずに一直線上で前後移動するので，暗い環境でも，ガイド線８を頼らずに，容易に固定ガイド６（ａ〜ｆ）と一直線上に移動ガイド７（ａ〜ｇ）を配列させることができる。
【００１６】
なお，本実施形態の固定ガイド６（ａ〜ｆ）も，各々竿を通す輪と釣り糸を通す輪とを有し，かつ，竿を通す輪は，竿の各断面形状に対応して，上部の略半楕円形と下部の略半円形とが組み合わされた形状に形成されている。
【００１７】
以上，添付図面を参照しながら本発明のリール釣竿の好適な実施形態について説明したが，本発明はこの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００１８】
【発明の効果】
以上示したように，リール釣竿が過度にしなっても破壊を防止でき，また，小型の移動ガイドを容易に固定ガイドと一直線上に整列させることができるリール釣竿を提供することができる。
【図面の簡単な説明】
【図１】図１は，本実施形態のリール釣竿の短縮時の斜視図である。
【図２】図２は，本実施形態のリール釣竿の短縮時の，図１のＡ−Ａ'線の断面図である。
【図３】図３は，本実施形態のリール釣竿の中間竿の拡大断面図である。
【図４】図４は，本実施形態のリール釣竿のガイドの平面図である。
【図５】図５は，従来のリール釣竿の短縮時の断面図である。
【符号の説明】
１      リールシート
２，２'    主竿
３ａ，３ａ'，３ｂ，３ｂ'，３ｃ，３ｃ'    中間竿
４，４'    先端竿
５          グリップ
６ａ，６ｂ，６ｃ，６ｄ，６ｅ，６ｆ          固定ガイド
７ａ，７ｂ，７ｃ，７ｄ，７ｅ，７ｆ，７ｇ    移動ガイド
８          ガイド線
９          応力が分散された応力点
１０        応力が集中した応力点
１１        竿の断面上部
１１'      ガイドの輪の上部
【図１】
0003782746.tif 000002
【図２】
0003782746.tif 000003
【図３】
0003782746.tif 000004
【図４】
0003782746.tif 000005
【図５】
0003782746.tif 000006